(57)【要約】【課題】  携帯電話用ＣＣＤカメラモジュールなどの小さな電子部品を正しい向きに組み立てることができるコネクタソケットを提供すること。【解決手段】  カメラハウジングに位置決め突起を一体に突設し、ソケットハウジングの上に４角の枠からなり一辺に位置決め突起の係合する位置決め切り欠きを形成したアダプタを重ね合わせ、連結兼シールド金具を嵌め込み、ソケットハウジングの側板の係止突起に係止して連結し、位置決め突起と位置決め切り欠きによりソケットハウジングに対する電子部品の位置合わせをした後カバーを被せ、このカバーに内側に切り起こした係止ばね片を連結兼シールド金具の係止孔に係止して組み立てる。【選択図】  図１
2006202565.tif 000002
【特許請求の範囲】
【請求項１】
ソケットに電子部品を嵌め込み、カバーを被せて一体に組み立てるようにした電子部品のコネクタソケットにおいて、前記電子部品のハウジングに位置決め突起を設け、前記ソケットのハウジング上に、前記位置決め突起を係合するための位置決め切り欠きを有するアダプタを重ね合わせ、前記位置決め突起と位置決め切り欠きにより前記ソケットハウジングに対する電子部品の位置合わせをした後カバーを被せて組み立てるようにしたことを特徴とする電子部品のコネクタソケット。
【請求項２】
４角箱型のソケットに電子部品であるカメラモジュールのカメラハウジングを嵌め込み、カバーを被せて一体に組み立てるようにした電子部品のコネクタソケットにおいて、前記カメラハウジングに位置決め突起を一体に突設し、前記ソケットのハウジング上に、上下貫通した枠からなるアダプタを重ね合わせ、このアダプタの一辺に前記位置決め突起を係合するための位置決め切り欠きを形成し、前記位置決め突起と位置決め切り欠きにより前記ソケットハウジングに対する電子部品の位置合わせをした後カバーを被せて一体に組み立てるようにしたことを特徴とする電子部品のコネクタソケット。
【請求項３】
４角箱型のソケットに電子部品であるカメラモジュールのカメラハウジングを嵌め込み、カバーを被せて一体に組み立てるようにした電子部品のコネクタソケットにおいて、前記カメラハウジングに位置決め突起を一体に突設し、前記ソケットのハウジング上に、上下貫通した枠からなり一辺に前記位置決め突起を係合するための位置決め切り欠きを形成したアダプタを重ね合わせ、このアダプタの上から連結兼シールド金具を嵌め込み、この連結兼シールド金具に設けた係止孔をソケットの側板に設けた係止突起に係止し、前記位置決め突起と位置決め切り欠きにより前記ソケットハウジングに対する電子部品の位置合わせをしした後カバーを被せ、このカバーに内側に切り起こした係止ばね片を前記連結兼シールド金具の係止孔に係止して組み立てるようにしたことを特徴とする電子部品のコネクタソケット。
【発明の詳細な説明】
【技術分野】
【０００１】
本発明は、携帯電話用ＣＣＤカメラモジュールなどの取付け向きを有する小さな電子部品を正しい向きに取り付けるための電子部品のコネクタソケットに関するものである。
【背景技術】
【０００２】
小さな電子部品である携帯電話用ＣＣＤカメラモジュール１１は、図５に示すように、一辺が６ｍｍ程度と極めて小さな立方体のカメラハウジング１７に円筒形の受光部１８が一体に設けられたもので、携帯電話機等に搭載される（特許文献１）。
このカメラモジュール１１を携帯電話機に搭載する際のＰＣ板等に接続するためのソケット１０は、従来より上面を開口した一辺が７ｍｍ程度の４角箱形をなし、嵌合凹部１６の底板部分には、板ばね状のコンタクト１４が多数個設けられ、図４に示すように、このコンタクト１４の垂直部がソケットハウジング１９の内壁に接して固定されている。このソケットハウジング１９の各側板には、それぞれ嵌合溝２４と係止突起２５が形成され、補強を兼ねたシールド金具１３が嵌め込まれ、このシールド金具１３の係止孔２３が前記係止突起２５に係止している。このように構成されたソケット１０は、コンタクト１４の底面の露出部分がＰＣ板３５の配線部分に半田付けされて電気的に接続され、かつ、機械的に固定される。
【０００３】
ＰＣ板３５に取り付けられたソケット１０に、カメラモジュール１１のカメラハウジング１７の部分を上から嵌合すると、このカメラハウジング１７の底面に設けられた端子（図示せず）とソケット１０のコンタクト１４が接続する。さらにカメラモジュール１１の上からカバー１２を被せると、受光部１８が突出孔１５から突出し、カバー１２の押え突起３１がカメラモジュール１１の押え切り欠き２８に係合して上から押圧しつつ、さらに、カバー１２の係止ばね片３０がシールド金具１３の係止孔２３に係止して組み立てが完了する。
【特許文献１】特開２００２−６３７８号公報
【発明の開示】
【発明が解決しようとする課題】
【０００４】
解決しようとする問題点は、ソケット１０は、嵌合凹部１６が立方体で、コンタクト１４が４方どの向きにも対称形で、電子部品１１の種類によっては４方どちら向きに取り付けても良いように構成されている。しかし、ＣＣＤカメラのようなカメラモジュール１１には、取り付けるべき向きがあるため、カメラモジュール１１の取り付け方向に間違いがおきる恐れがあり、従来は、カメラモジュール１１とソケット１０に位置合せの目印をつけて組み立てていた。目印を付けても嵌め込みができるので、依然として取り付け間違いが発生するという問題があった。
【０００５】
そこで、カメラモジュール１１が決められた方向にのみ組み立てられるように、ソケットハウジング１９に加工を施すことが考えられるが、このソケットハウジング１９は、一辺が７ｍｍ程度であり、その厚さは、０．９ｍｍにも満たない上、コンタクト１４の垂直部がはめ込まれるための溝を形成するので、加工を施す部分の厚さが０．２ｍｍ程度であり、このような薄さでは、わずかな力でも破損する恐れがある。したがって、ソケット１０には、可能な限り加工を施すことなく、カメラモジュール１１が決められた方向にのみ組み立てられるようにすることが望まれる。
また、ソケット１０には、取付け方向を有するものだけでなく、取付け方向を有しない電子部品も利用できることが望まれる。
本発明は、携帯電話用ＣＣＤカメラモジュールなどの小さな電子部品を正しい向きに取り付けることができるとともに、取付け方向を有しない電子部品にも取り付けできる２タイプに利用可能な電子部品のコネクタソケットを提供することを目的とするものである。
【課題を解決するための手段】
【０００６】
本発明では、嵌合凹部１６が立方体で、コンタクト１４が４方どの向きも対称形で、電子部品１１の種類によっては４方どちら向きに取り付けても良いように構成されているソケット１０が使用される。しかるに、電子部品がＣＣＤカメラのようなカメラモジュール１１には、取り付けるべき向きがあるため４角箱型のソケットに電子部品であるＣＣＤカメラモジュールの立方体のカメラハウジングを嵌め込み、カバーを被せて一体に組み立てる場合に、方向性を持たせなければならない。
そこで、カメラモジュールのカメラハウジングには、位置決め切り欠きに係合する位置決め突起を一体に突設し、また、ソケットのハウジング上に、このソケットハウジングと同一形状で、上下貫通した枠からなり一辺に位置決め切り欠きを形成したアダプタを重ね合わせ、このアダプタの上から導電性金属板を下向きコ字形に折曲した連結兼シールド金具を嵌め込み、この連結兼シールド金具に設けた係止孔をソケットハウジングの側板に設けた係止突起に係止する。カメラモジュールの位置決め突起とソケットハウジングの位置決め切り欠きにより前記ソケットハウジングに対する電子部品の位置合わせをしした後カバーを被せ、このカバーに内側に切り起こした係止ばね片を前記係止孔に係止して組み立てることにより、所期の目的を達成する。
【発明の効果】
【０００７】
請求項１記載の発明によれば、電子部品のハウジングに位置決め突起を設け、ソケットのハウジング上に、位置決め切り欠きを有するアダプタを重ね合わせ、位置決め突起と位置決め切り欠きにより前記ソケットハウジングに対する電子部品の位置合わせをしした後カバーを被せて組み立てるようにしたので、アダプタを追加するだけで組み立て方向性のある電子部品を正しい方向に組み立てることができる。また、アダプタを重ね合わせたままでも、外しても組み立て方向性のない電子部品にも利用することができ、２タイプのコネクタソケットとしても使用することができる。
【０００８】
請求項２記載の発明によれば、カメラモジュールのカメラハウジングに位置決め突起を一体に突設し、ソケットのハウジング上に、上下貫通した枠からなるアダプタを重ね合わせ、このアダプタの一辺に位置決め切り欠きを形成し、位置決め突起と位置決め切り欠きにより前記ソケットハウジングに対する電子部品の位置合わせをした後カバーを被せて一体に組み立てるようにしたので、ソケットにカメラモジュールを組み込んだときにソケットハウジングの側板に負荷がかかることがなく、ソケットハウジングの側板が破損する恐れがない。
【０００９】
請求項３記載の発明によれば、カメラモジュールのカメラハウジングに位置決め突起を一体に突設し、ソケットのハウジング上に、上下貫通した枠からなり一辺に位置決め切り欠きを形成したアダプタを重ね合わせ、このアダプタの上から連結兼シールド金具を嵌め込み、この連結兼シールド金具に設けた係止孔をソケットの側板に設けた係止突起に係止し、位置決め突起と位置決め切り欠きにより前記ソケットハウジングに対する電子部品の位置合わせをしした後カバーを被せ、このカバーに内側に切り起こした係止ばね片を連結兼シールド金具の係止孔に係止して組み立てるようにしたので、ソケットハウジングとアダプタとを連結兼シールド金具によって簡単に連結できる。また、連結兼シールド金具は、シールド金具としても作用することができる。
【発明を実施するための最良の形態】
【００１０】
本発明は、４角箱型のソケットに電子部品であるカメラモジュールのカメラハウジングを嵌め込み、カバーを被せて一体に組み立てるようにした電子部品のコネクタソケットにおいて、前記カメラモジュールのカメラハウジングに前記位置決め切り欠きに係合する位置決め突起を一体に突設する。前記ソケットのハウジング上に、上下貫通した枠からなり一辺に位置決め切り欠きを形成したアダプタを重ね合わせる。このアダプタの上から導電性金属板を下向きコ字形に折曲した連結兼シールド金具を嵌め込み、この連結兼シールド金具に設けた係止孔をソケットの側板に設けた係止突起に係止する。前記カメラハウジングの位置決め突起とアダプタの位置決め切り欠きにより前記ソケットハウジングに対する電子部品の位置合わせをしした後カバーを被せる。このカバーに内側に切り起こした係止ばね片を前記連結兼シールド金具の係止孔に係止して組み立てる。
【実施例１】
【００１１】
本発明による一実施例を図１乃至図３に基づき説明する。
これらの図において、電子部品が携帯電話機に搭載されるＣＣＤカメラモジュールの場合を例として説明する。また、ソケット１０，カバー１２およびシールド金具１３の形状は、従来品と略同様の構成である。
すなわち、ソケット１０は、カメラモジュール１１を携帯電話機のＰＣ板３５に接続するためのもので、上面を開口した４角箱形をなし、ソケットハウジング１９の嵌合凹部１６の底板部分には、多数個の板ばね状コンタクト１４が４方向対称形に設けられ、図２に示すように、このコンタクト１４の垂直部がソケットハウジング１９の内壁に接して固定されている。このソケットハウジング１９の各側板の外側には、それぞれ嵌合溝２４と係止突起２５が形成されている。ソケットハウジング１９の相対する２辺の側板には、導電性金属板を下向きコ字形に折曲したシールド金具１３が嵌め込まれ、このシールド金具１３の係止孔２３が前記係止突起２５に係止して、前記ソケットハウジング１９の側板を補強するとともに、シールド用アース金具として作用する。ソケットハウジング１９の他の２辺の側板については後述する連結兼シールド金具３２が嵌め込まれる。このように構成されたソケット１０は、図２に示すように、コンタクト１４の底面の露出部分がＰＣ板３５の配線部分に半田付けされて電気的に接続され、かつ、機械的に固定される。
【００１２】
前記カバー１２は、導電性金属板を前記ソケット１０にカメラモジュール１１を組み込んだ後、上から被せることができるように底のない４角の箱型に折り返して形成したもので、上面には、カメラモジュール１１の受光部１８が突出する突出孔１５が穿設され、４辺の側板部２９には、係止ばね片３０が内方にやや折曲して形成されているとともに、内側に突出した押え突起３１が形成されている。
【００１３】
前記カメラモジュール１１におけるカメラハウジング１７には、１つの側面に小さな直方体の位置決め突起２１が一体に形成されている。また、カメラハウジング１７の上面の４つの角には、押え切り欠き２８が形成されている。
【００１４】
アダプタ２０は、本発明により付加されるもので、前記ソケットハウジング１９の各側板上に重なるように上下貫通した４角の枠からなり、１辺には、前記位置決め突起２１の係合する位置決め切り欠き２２が上から切り欠かれ、また、他の２辺には、前記ソケットハウジング１９の嵌合溝２４と一致する嵌合溝３４が形成されている。
【００１５】
連結兼シールド金具３２は、導電性金属板を下向きコ字形に折曲し、前記ソケット１０にアダプタ２０を重ねて両者を連結するとともに、アース金具として作用するもので、側面に前記ソケットハウジング１９の係止突起２５に係止する係止孔３３が形成されている。
【００１６】
以上のような構成において、ソケットハウジング１９の相対する２辺の側板の嵌合溝２４に、シールド金具１３が予め上から嵌め込まれており、係止孔２３と係止突起２５が係合している。このソケットハウジング１９の残りの嵌合溝２４とアダプタ２０の嵌合溝３４が一致するようにソケットハウジング１９の上にアダプタ２０を載せ、これらの嵌合溝３４と嵌合溝２４に連結兼シールド金具３２を上から嵌め込み、係止孔３３に係止突起２５を係止する。
このようにして、アダプタ２０付きのソケット１０が構成される。
【００１７】
このアダプタ２０の上からカメラモジュール１１を嵌め込む。このとき、アダプタ２０の位置決め切り欠き２２とカメラモジュール１１の位置決め突起２１との位置合せをして嵌め込むと、カメラモジュール１１は、正しい方向に嵌合し、ソケット１０のコンタクト１４に対して一義的に位置決めされて接触する。次いで、カバー１２をカメラモジュール１１の上から被せつつ上から押し込むと、受光部１８が突出孔１５から突出し、かつ、カメラモジュール１１におけるカメラハウジング１７の底面に設けられた端子（図示せず）とコンタクト１４が正しい状態で電気的に接続する。さらにカバー１２を圧入すると、カバー１２の押え突起３１がカメラモジュール１１の押え切り欠き２８に係合してカメラモジュール１１を押込み、さらに、カバー１２の相対する２個の係止ばね片３０がシールド金具１３の係止孔２３に係止し、相対する他の２個の係止ばね片３０が連結兼シールド金具３２の係止孔３３に係止して組み立てが完了する。
【実施例２】
【００１８】
前記実施例では、ソケットハウジング１９の対向する２辺の側板に予めシールド金具１３を嵌め込み、ついで、アダプタ２０をソケット１０に重ね合わせて連結兼シールド金具３２を嵌め込み連結するようにした場合において、位置決め切り欠き２２の位置は、連結兼シールド金具３２の嵌め込み位置と一致しないようにずらして形成した。しかし、１個の連結兼シールド金具３２に位置決め切り欠き２２と一致する部分を切り欠くようにしても良い。
【図面の簡単な説明】
【００１９】
【図１】本発明による電子部品のコネクタソケットの一実施例を示す分解斜視図である。
【図２】本発明による電子部品のコネクタソケットの一実施例を示す組み立て後の図２におけるＢ−Ｂ線縦断面図である。
【図３】本発明による電子部品のコネクタソケットの一実施例を示す組み立て後の図１におけるＡ−Ａ線横断面図である。
【図４】従来のコネクタソケットの縦断面図である。
【図５】従来のコネクタソケットの分解斜視図である。
【符号の説明】
【００２０】
１０…ソケット、１１…電子部品としてのＣＣＤカメラモジュール、１２…カバー、１３…シールド金具、１４…コンタクト、１５…突出孔、１６…嵌合凹部、１７…カメラハウジング、１８…受光部、１９…ソケットハウジング、２０…アダプタ、２１…位置決め突起、２２…位置決め切り欠き、２３…係止孔、２４…嵌合溝、２５…係止突起、２８…押え切り欠き、２９…側板部、３０…係止ばね片、３１…押え突起、３２…連結兼シールド金具、３３…係止孔、３４…嵌合溝、３５…ＰＣ板。
【図１】
2006202565.tif 000003
【図２】
2006202565.tif 000004
【図３】
2006202565.tif 000005
【図４】
2006202565.tif 000006
【図５】
2006202565.tif 000007